(57)【要約】【課題】  画像記録装置において、個人情報やセキュリティの管理を、虹彩認証を使用して行う。【解決手段】  撮像手段から得られる画像データを同一撮像手段によって撮像した虹彩情報に基づいて該撮像手段の動作に制限を与え、また、レンズ近傍に発光手段を設けることを特徴とするカメラ一体型画像記録装置。【選択図】        図１
2005268884.tif 000002
【特許請求の範囲】
【請求項１】
撮像手段から得られる画像データを同一撮像手段によって撮像した虹彩情報に基づいて該撮像手段の動作に制限を与えることを特徴とするカメラ一体型画像記録装置。
【請求項２】
レンズ近傍に発光手段を設けたことを特徴とする請求項１記載のカメラ一体型画像記録装置。
【請求項３】
レンズ近傍に設けた発光手段を、記録動作中を示すタリーランプと兼用することを特徴とする請求項２記載のカメラ一体型画像記録装置。
【請求項４】
認証指示手段を設けたことを特徴とする請求項１記載のカメラ一体型画像記録装置。
【請求項５】
認証指示手段からの認証指示によりオートフォーカスレンジを所定に制限することを特徴とする請求項４記載のカメラ一体型画像記録装置。
【請求項６】
認証指示手段からの認証指示によりズーム手段を所定に制限することを特徴とする請求項４記載のカメラ一体型画像記録装置。
【請求項７】
撮像手段から得られる画像データを同一撮像手段によって撮像した虹彩情報に基づいて記録再生等の動作に制御を与えることを特徴とする請求項１記載のカメラ一体型画像記録装置。
【発明の詳細な説明】
【技術分野】
【０００１】
本発明は、カメラ一体型画像記録装置に関し、特にデジタル画像記録を行う画像記録装置、デジタルスチルカメラ、デジタルムービー、カムコーダに関するものであり、画像入力手段を有する携帯電話、ＰＤＡ（Ｐｅｒｓｏｎａｌ  Ｄｉｇｉｔａｌ  Ａｓｓｉｓｔａｎｔ）も含まれる。
【背景技術】
【０００２】
図２は、従来の技術を表わすブロック図である。
【０００３】
図において、２０はカメラ部でありその中で、２０１はレンズであり、２０２はズームレンズであり、２０３はアイリスであり、２０４フォーカスレンズであり、２０５はＣＣＤ等の撮像素子であり、２０６はカメラ信号処理回路（ＣＤＳ：Ｃｏｒｒｅｌａｔｅ  Ｄｏｕｂｌｅ  Ｓａｍｐｌｅ＋ＡＧＣ：Ａｕｔｏ  Ｇａｉｎ  Ｃｏｎｔｒｏｌで構成される）であり、２０７はＡＤＣ：Ａｎａｌｏｇ  Ｄｉｇｉｔａｌ  Ｃｏｎｖｅｒｔｅｒである。
【０００４】
２１は制御部であり、その中で、２１１はカメラ制御部であり、２１２はシステム制御部であり、２１３は蓄積制御部である。
【０００５】
２２は表示出力部でありその中で、２２１はＬＣＤドライバであり、２２２はＬＣＤであり、２２３はライン出力用のＤＡＣである。
【０００６】
２３は蓄積部でありその中で、２３１は画像音声を圧縮伸張するＣＯＤＥＣであり、２３２はエラー訂正処理を行うＥＣＣ処理部であり、２３３は記録媒体である。
【０００７】
図２を用いて従来の技術の動作説明を行う。
【０００８】
レンズ２０１から入力された画像は、ＣＣＤ等の撮像素子２０５で１フレーム単位にデジタルの画像信号となってカメラ信号処理回路２０６に入力される。カメラ信号処理回路２０６では、画像信号から画像領域で適切なる重み付けをされた輝度補正信号ＹＥＮＣを作りカメラ制御部２１１に送る。上記の輝度補正信号ＹＥＮＣにより補正され、適切な輝度となった信号は、ＡＤＣ２０７によりＹＣの輝度色差情報のデジタル信号に変換される。
【０００９】
ＡＤＣ２０７の出力は表示出力部２２のＬＣＤ  Ｄｒｉｖｅｒ２２１を経て、ＬＣＤ２２２に表示される経路、ＤＡＣ２２３によりＮＴＳＣ信号となりＬＩＮＥＯＵＴに出力される経路、蓄積部２３に入り、ＣＯＤＥＣ２３１により画像圧縮され、ＥＣＣ２３２でエラー訂正符号を付加され、ＭＥＭ２３３に記録される経路に送られる。ＣＯＤＥＣ２３１は一般的にＪＰＥＧ（静止画の場合が主だが、ＭｏｔｉｏｎＪＰＥＧとして動画に使用されることも有る）、ＭＰＥＧ（動画の場合）、等の画像圧縮方式が用いられる。ＭＥＭ２３３はフラッシュメモリ等の半導体メモリ、磁気ディスク、光磁気ディスク、磁気テープ等である。
【特許文献１】特開２００３−２０４４２７号公報
【発明の開示】
【発明が解決しようとする課題】
【００１０】
上記従来の技術では、当然カメラ一体型画像記録装置を誰でも使用することが可能であるがため、以下の要求が生じてきた。
（１）家族等複数の使用者ごとの固有な設定を分ける等ユーザ管理を行いたい。
（２）使用者を家族に限定するなど特定の人間に制限し、他人に勝手に使われることが無いセキュリティ機能が欲しい。
【００１１】
本発明は上記問題点に着目してなされたものであって、画像データを得るための撮像素子を、認証用の虹彩データの取得にも使用することでユーザ管理やセキュリティ機能を実現できるカメラ一体型画像記録装置の提供を目的としている。
【課題を解決するための手段】
【００１２】
従来抱えている課題を解決し、前記目的を達成するため、本発明は以下（１）〜（７）の構成を備えるものである。
【００１３】
（１）撮像手段から得られる画像データを同一撮像手段によって撮像した虹彩情報に基づいて該撮像手段の動作に制限を与えることを特徴とするカメラ一体型画像記録装置。
【００１４】
（２）レンズ近傍に発光手段を設けたことを特徴とする前項（１）記載のカメラ一体型画像記録装置。
【００１５】
（３）レンズ近傍に設けた発光手段を、記録動作中を示すタリーランプと兼用することを特徴とする前項（２）記載のカメラ一体型画像記録装置。
【００１６】
（４）認証指示手段を設けたことを特徴とする前項（１）記載のカメラ一体型画像記録装置。
【００１７】
（５）認証指示手段からの認証指示によりオートフォーカスレンジを所定に制限することを特徴とする前項（４）記載のカメラ一体型画像記録装置。
【００１８】
（６）認証指示手段からの認証指示によりズーム手段を所定に制限することを特徴とする前項（４）記載のカメラ一体型画像記録装置。
【００１９】
（７）撮像手段から得られる画像データを同一撮像手段によって撮像した虹彩情報に基づいて記録再生等の動作に制御を与えることを特徴とする前項（１）記載のカメラ一体型画像記録装置。
【００２０】
［作用］
本発明はカメラ一体型画像記録装置にこのように虹彩認証手段を搭載することで、ユーザ管理やセキュリティ機能を実現した。
【発明の効果】
【００２１】
本発明では、カメラ一体型画像記録装置にすでに備わっている機能を使用し、比較的低コストにて、虹彩認証によりユーザ管理やセキュリティ機能を実現できる。
【発明を実施するための最良の形態】
【００２２】
以下に、本発明を実施するための最良の形態を、実施例に基づいて説明する。
【実施例】
【００２３】
図１は、本発明の実施例を最もよく表わすブロック図である。
【００２４】
図において、１０はカメラ部でありその中で、１００は虹彩照明用光源であり、１０１はレンズであり、１０２はズームレンズであり、１０３はアイリスであり、１０４はフォーカスレンズであり、１０５はＣＣＤ等の撮像素子であり、１０６はカメラ信号処理回路（ＣＤＳ：Ｃｏｒｒｅｌａｔｅ  Ｄｏｕｂｌｅ  Ｓａｍｐｌｅ＋ＡＧＣ：Ａｕｔｏ  Ｇａｉｎ  Ｃｏｎｔｒｏｌで構成される）であり、１０７はＡＤＣ：Ａｎａｌｏｇ  Ｄｉｇｉｔａｌ  Ｃｏｎｖｅｒｔｅｒである。
【００２５】
１１は制御部でありその中で、１１１はカメラ制御部であり、１１２はシステム制御部であり、１１３は蓄積制御部である。
【００２６】
１２は表示出力部でありその中で、１２１はＬＣＤドライバであり、１２２はＬＣＤであり、１２３はライン出力用のＤＡＣである。
【００２７】
１３は蓄積部でありその中で、１３１は画像音声を圧縮伸張するＣＯＤＥＣであり、１３２はエラー訂正処理を行うＥＣＣ処理部であり、１３３は記録媒体である。
【００２８】
図１、図３を用いて本特許の動作説明を行う。ここからしばらくは通常撮影時の説明であり従来例と同一動作である。
【００２９】
レンズ１０１から入力された画像は、撮像素子１０５で１フレーム単位にデジタルの画像信号となってカメラ信号処理回路１０６に入力される。カメラ信号処理回路１０６では、画像信号から画像領域で適切なる重み付けをされた輝度補正信号ＹＥＮＣを作りカメラ制御部１１１に送る。上記の輝度補正信号ＹＥＮＣにより補正され、適切な輝度となった信号は、ＡＤＣ１０７によりＹＣの輝度色差情報のデジタル信号に変換される。
【００３０】
ＡＤＣ１０７の出力は表示出力部１２のＬＣＤドライバ１２１を経て、ＬＣＤ１２２に表示される経路、ＤＡＣ１２３によりＮＴＳＣ信号となりＬＩＮＥＯＵＴに出力される経路、蓄積部１３に入り、ＣＯＤＥＣ１３１により画像圧縮され、ＥＣＣ１３２でエラー訂正符号を付加され、ＭＥＭ１３３に記録される。ＣＯＤＥＣ１３１は一般的にＪＰＥＧ（静止画の場合が主だが、動画に使用されることも有る）、ＭＰＥＧ（動画の場合）、等の画像圧縮方式が用いられる。ＭＥＭ１３３はフラッシュメモリ等の半導体メモリ、磁気ディスク、光磁気ディスク、磁気テープ等である。ここまでは従来例と同一動作である。
【００３１】
次に図１を用いて認証モードの動作説明を行う。図３に示すように、認証を行う操作者はカメラ一体型画像記録装置のレンズを覗き込むように持つ。
１）システム制御部１１２はＫＥＹ１１４の認証ボタンＡＵＴＨの押下を検知すると認証モードに入る。
２）認証モードに入ったシステム制御部１１２はカメラ制御部１１１経由でレンズ近傍の虹彩照明用ＬＥＤ１００を点灯する。
３）オートフォーカスをフードの端面等レンズ近傍に制限しフォーカスロックする。
４）フォーカスロックを検知すると黒目の直径をズーム機構で正規化し撮影する。
５）虹彩画像をゾーン分けする等でコード化し認証ＤＢ照合する。
６）認証ＤＢと照合し適合した場合には、所定の操作（ｅｘ．記録再生消去等）を許可する。
【００３２】
適合しない場合には制限された操作（再生のみ等）のみを許可するか、全く操作を許可しない。
【００３３】
［虹彩ＤＢへの登録及び抹消に関して］
セキュリティ機能を要求される場合の虹彩ＤＢ登録は、従来どおりメニュー画面からのパスワード認証により認証と同様の操作にて登録を行う等が考えられる。またユーザ管理だけでよい場合には適時誰でもユーザ登録のため虹彩ＤＢへ登録できてかまわないが、他人の登録情報を消去するには、やはり従来どおりのパスワード管理など併用し行う必要もある。
【００３４】
また虹彩認証のアルゴリズムの詳細に関しては本特許には直接関係ないので省略する。
【００３５】
［虹彩ＤＢの場所に関して］
虹彩ＤＢは機器本体の蓄積制御部１１３に入れる場合とリムーバブル媒体ＭＥＭ１３３に入れる場合とが用途により両方想定されるが本特許には直接関係ないので省略する。
【図面の簡単な説明】
【００３６】
【図１】本発明の実施例を示すブロック図である。
【図２】従来の技術を示すブロック図である。
【図３】虹彩認証のオペレーションを示す図である。
【符号の説明】
【００３７】
１０  カメラ部
１１  制御部
１２  表示出力部
１３  蓄積部
１００  虹彩照明用光源（ＬＥＤ）
１０１  レンズ
１０２  ズームレンズ
１０３  アイリス
１０４  フォーカスレンズ
１０５  撮像素子（ＣＣＤ）
１０６  カメラ信号処理回路（ＣＤＳ）
１０７  ＡＤＣ
１１１  カメラ制御部
１１２  システム制御部
１１３  蓄積制御部
１２１  ＬＣＤドライバ
１２２  ＬＣＤ
１２３  ＤＡＣ
１３１  ＣＯＤＥＣ
１３２  ＥＣＣ処理部
１３３  記録媒体（ＭＥＭ）
【図１】
2005268884.tif 000003
【図２】
2005268884.tif 000004
【図３】
2005268884.tif 000005